(57)【要約】【課題】データ駆動部の出力線数を減少させることができるようにした発光表示装置を提供する。【解決手段】１水平期間中第１期間の間、走査線に走査信号を供給するための走査駆動部１０と、前記１水平期間中第２期間の間、それぞれの出力線に複数のデータ信号を順次供給するためのデータ駆動部２０と、前記それぞれの出力線ごとに設置されて前記出力線に供給されるデータ信号を複数のデータ線に供給するためのデマルチプレクサ１６２と、前記走査線とデータ線に接続される複数の画素を含む画像表示部３０と、前記データ線それぞれに接続されて前記データ線に供給される前記データ信号に対応される電圧を充電するためのキャパシタを具備し、前記第２期間に供給される最後のデータ信号は、前記走査信号と重畳されるように供給される。【選択図】図７ｂ
2006146158.tif 000002
【特許請求の範囲】
【請求項１】
１水平期間中の第１期間の間、走査線に走査信号を供給するための走査駆動部と、
前記１水平期間中の第２期間の間、それぞれの出力線に複数のデータ信号を順次供給するためのデータ駆動部と、
前記それぞれの出力線ごとに設置されて前記出力線に供給されるデータ信号を複数のデータ線に供給するためのデマルチプレクサと、
前記走査線とデータ線に接続される複数の画素を含む画像表示部と、
前記データ線それぞれに接続されて前記データ線に供給される前記データ信号に対応される電圧を充電するためのキャパシタとを具備し、
前記第２期間に供給される最後のデータ信号は、前記走査信号と重畳されるように供給されることを特徴とする発光表示装置。
【請求項２】
前記デマルチプレクサのそれぞれは、
前記出力線と前記複数のデータ線のそれぞれの間に接続される複数のトランジスタを具備することを特徴とする請求項１に記載の発光表示装置。
【請求項３】
前記複数のトランジスタを順次ターンオンさせるために複数の制御信号を順次供給するためのデマルチプレクサ制御部をさらに具備することを特徴とする請求項２に記載の発光表示装置。
【請求項４】
前記複数の制御信号の中、最後の制御信号は、前記走査信号と重畳されるように供給され、それ以外の制御信号は前記第２期間中に供給されることを特徴とする請求項３に記載の発光表示装置。
【請求項５】
前記データ駆動部は、前記制御信号が供給されない第１期間の間ダミーデータ信号を供給することを特徴とする請求項４に記載の発光表示装置。
【請求項６】
前記第１期間に供給される前記ダミーデータ信号は、前記第２期間に供給される最後のデータ信号に設定されることを特徴とする請求項５に記載の発光表示装置。
【請求項７】
前記キャパシタは、前記データ線それぞれに等価的に形成される寄生キャパシタであることを特徴とする請求項１に記載の発光表示装置。
【請求項８】
前記キャパシタは、前記データ線それぞれに追加的に設置される外部キャパシタであることを特徴とする請求項１に記載の発光表示装置。
【請求項９】
１水平期間中の第１期間の間、走査信号を供給する段階と、
１水平期間中の第２期間の間、データ駆動部からの複数の出力線に、それぞれ複数のデータ信号を供給する段階を含み、
前記第２期間に供給される最後のデータ信号は、前記走査信号と重畳されることを特徴とする発光表示装置の駆動方法。
【請求項１０】
それぞれの前記出力線ごとに設置される複数のトランジスタが複数の制御信号によって順次ターンオンされながら複数のデータ線に前記複数のデータ信号を伝達する段階と、
前記データ線それぞれに接続されるように形成されたキャパシタに、前記データ信号に対応される電圧が充電される段階を含むことを特徴とする請求項９に記載の発光表示装置の駆動方法。
【請求項１１】
前記複数の制御信号の中、最後の制御信号は、前記走査信号と重畳されるように供給され、それ以外の制御信号は、前記第２期間中供給されることを特徴とする請求項１０に記載の発光表示装置の駆動方法。
【請求項１２】
前記制御信号が供給されない第１期間の間輝度に寄与しないダミーデータ信号が前記出力線に供給されることを特徴とする請求項１１に記載の発光表示装置の駆動方法。
【請求項１３】
前記ダミーデータ信号は、前記第２期間に供給された最後のデータ信号であることを特徴とする請求項１２に記載の発光表示装置の駆動方法。
【請求項１４】
前記キャパシタの容量は、画素それぞれに含まれるストレージキャパシタの容量より大きく設定されることを特徴とする請求項１０に記載の発光表示装置の駆動方法。
【請求項１５】
走査信号を順次供給する段階と、
データ駆動部の出力線とｉ（ｉは自然数）本のデータ線の間に設置されるｉ個のトランジスタをターンオンさせるために、ｉ個の制御信号を順次供給する段階を含み、
前記ｉ個の制御信号の中少なくとも一つの制御信号は、前記走査信号と重畳されるように供給されることを特徴とする発光表示装置の駆動方法。
【請求項１６】
前記ｉ個の制御信号の中、最後に供給される制御信号が前記走査信号と重畳されるように供給されることを特徴とする請求項１５に記載の発光表示装置の駆動方法。
【請求項１７】
前記ｉ個のトランジスタが順次ターンオンされる時、前記出力線に供給されるｉ個のデータ信号が前記ｉ本のデータ線に供給されることを特徴とする請求項１５に記載の発光表示装置の駆動方法。
【発明の詳細な説明】
【技術分野】
【０００１】
本発明は、発光表示装置及びその駆動方法に関し、特にデータ駆動部の出力線数を減少させられるようにした発光表示装置とその駆動方法に関する。
【背景技術】
【０００２】
最近、陰極線管の短所である重さと大きさを減らすことができる各種平板表示装置が開発されている。平板表示装置では、液晶表示装置、電界放出表示装置、プラズマ表示パネル及び発光表示装置などがある。
【０００３】
平板表示装置の中、発光表示装置は、電子と正孔の再結合によって光を発生する自発光素子である。このような、発光表示装置は早い応答速度を持つと同時に低消費電力によって駆動される長所がある。一般的な発光表示装置は、画素ごとに形成される駆動薄膜トランジスタ（Ｔｈｉｎ  Ｆｉｌｍ  Ｔｒａｎｓｉｓｔｏｒ、以下、ＴＦＴという。）を利用してデータ信号に対応される電流を発光素子に供給することによって発光素子から光が発光される。
【０００４】
図１は、従来の一般的な発光表示装置を示す図である。
【０００５】
図１を参照すれば、従来の発光表示装置は、走査線Ｓ１ないしＳｎ及びデータ線Ｄ１ないしＤｍの交差領域に形成された画素４０を含む画像表示部３０と、走査線Ｓ１ないしＳｎを駆動するための走査駆動部１０と、データ線Ｄ１ないしＤｍを駆動するためのデータ駆動部２０と、走査駆動部１０及びデータ駆動部２０を制御するためのタイミング制御部５０を具備する。
【０００６】
走査駆動部１０は、タイミング制御部５０からの走査駆動制御信号ＳＣＳに応答して走査信号を生成し、生成された走査信号を走査線Ｓ１ないしＳｎに順次供給する。また、走査駆動部１０は、走査駆動制御信号ＳＣＳに応答して発光制御信号を生成し、生成された発光制御信号を発光制御線Ｅ１ないしＥｎに順次供給する。
【０００７】
データ駆動部２０は、タイミング制御部５０からのデータ駆動制御信号ＤＣＳに応答してデータ信号を生成し、生成されたデータ信号をデータ線Ｄ１ないしＤｍに供給する。
【０００８】
この時、データ駆動部２０は１水平期間ごとに１水平ライン分ずつのデータ信号をデータ線Ｄ１ないしＤｍに供給する。
【０００９】
タイミング制御部５０は、外部から供給される同期信号に対応してデータ駆動制御信号ＤＣＳ及び走査駆動制御信号ＳＣＳを生成する。タイミング制御部５０から生成されたデータ駆動制御信号ＤＣＳは、データ駆動部２０に供給され、走査駆動制御信号ＳＣＳは走査駆動部１０に供給される。そして、タイミング制御部５０は外部から供給されるデータを再整列してデータ駆動部２０に供給する。
【００１０】
画像表示部３０は、外部から第１電源ＥＬＶＤＤ及び第２電源ＥＬＶＳＳの供給を受ける。ここで、第１電源ＥＬＶＤＤ及び第２電源ＥＬＶＳＳは、それぞれの画素４０に供給される。第１電源ＥＬＶＤＤ及び第２電源ＥＬＶＳＳの供給を受ける画素４０それぞれは、自分に供給されるデータ信号に対応する光を生成する。そして、画素４０は発光制御信号に対応して発光時間が制御される。
【００１１】
このように駆動される従来の発光表示装置で画素４０それぞれは、走査線Ｓ１ないしＳｎ及びデータ線Ｄ１ないしＤｍの交差部に位置される。ここで、データ駆動部２０はｍ本のデータ線Ｄ１ないしＤｍそれぞれにデータ信号を供給するようにｍ本の出力線を具備する。すなわち、従来の発光表示装置でデータ駆動部２０はデータ線Ｄ１ないしＤｍと等しい数の出力線を具備しなければならない。
【００１２】
したがって、データ駆動部２０の内部には、ｍ本の出力線が具備されるように複数のデータ駆動回路が含まれ、これによって製造コストが上昇する問題点が発生される。特に、画像表示部３０の解像度及びインチが大きくなるほどデータ駆動部２０はさらに多くの出力線を含み、これによって製造コストがさらに上昇される。
【００１３】
従来の発光表示装置及びその駆動方法に関する技術を記載した文献としては、下記特許文献１及び２等がある。
【特許文献１】韓国特開２００３−０００４７７４号明細書
【特許文献２】韓国特開２００３−００７５９４６号明細書
【発明の開示】
【発明が解決しようとする課題】
【００１４】
したがって、本発明の目的は、データ駆動部の出力線数を減少させることができるようにした発光表示装置とその駆動方法を提供することである。
【課題を解決するための手段】
【００１５】
前記目的を果たすための本発明は、１水平期間中の第１期間の間、走査線に走査信号を供給するための走査駆動部と、前記１水平期間中の第２期間の間、それぞれの出力線に複数のデータ信号を順次供給するためのデータ駆動部と、前記それぞれの出力線ごとに設置されて前記出力線に供給されるデータ信号を複数のデータ線に供給するためのデマルチプレクサと、前記走査線とデータ線に接続される複数の画素を含む画像表示部と、前記データ線それぞれに接続されて前記データ線に供給される前記データ信号に対応される電圧を充電するためのキャパシタとを具備し、前記第２期間に供給される最後のデータ信号は、前記走査信号と重畳されるように供給されることを特徴とする発光表示装置が提供される。
【００１６】
好ましくは、前記デマルチプレクのサそれぞれは、前記出力線と前記複数のデータ線のそれぞれの間に接続される複数のトランジスタを具備する。
【００１７】
また、前記複数のトランジスタを順次ターンオンさせるために複数の制御信号を順次供給するためのデマルチプレクサ制御部をさらに具備する。
【００１８】
また、前記複数の制御信号の中、最後の制御信号は、前記走査信号と重畳されるように供給され、それ以外の制御信号は前記第２期間中に供給される。
【００１９】
さらに、前記目的を果たすための本発明は、１水平期間中の第１期間の間、走査信号を供給する段階と、１水平期間中の第２期間の間、データ駆動部からの複数の出力線にそれぞれ複数のデータ信号を供給する段階を含み、前記第２期間に供給される最後のデータ信号は、前記走査信号と重畳される発光表示装置の駆動方法が提供される。
【００２０】
好ましくは、それぞれの前記出力線ごとに設置される複数のトランジスタが複数の制御信号によって順次ターンオンされながら複数のデータ線に前記複数のデータ信号を伝達する段階と、前記データ線それぞれに接続されるように形成されたキャパシタに、前記データ信号に対応される電圧が充電される段階を含む。
【００２１】
また、前記複数の制御信号の中、最後の制御信号は、前記走査信号と重畳されるように供給され、それ以外の制御信号は、前記第２期間中供給される。
【００２２】
さらに、前記目的を果たすために、本発明の第３側面は、走査信号を順次供給する段階と、データ駆動部の出力線とｉ（ｉは自然数）本のデータ線の間に設置されるｉ個のトランジスタをターンオンさせるために、ｉ個の制御信号を順次供給する段階を含み、前記ｉ個の制御信号の中少なくとも一つの制御信号は、前記走査信号と重畳されるように供給される発光表示装置の駆動方法が提供される。
【００２３】
好ましくは、前記ｉ個の制御信号の中、最後に供給される制御信号が前記走査信号と重畳されるように供給される。
【００２４】
また、前記ｉ個のトランジスタが順次ターンオンされる時、前記出力線に供給されるｉ個のデータ信号が前記Ｉ本のデータ線に供給される。
【発明の効果】
【００２５】
上述したように、本発明による発光表示装置とその駆動方法によれば、一つの出力線に供給されるデータ信号を複数の第２データ線に分割して供給するから、出力線数を低減することができ、これによって製造コストを減少させることができる。
【００２６】
そして、本発明によれば、複数の第２データ線にデータ信号が供給される時点が同じく設定され、これによって均一な輝度を持つ映像を表示することができる。
【００２７】
また、本発明によれば、デマルチプレクサに供給される最後の制御信号が走査信号と重畳されるからスキャン時間を充分に確保することができ、これによって好む輝度の映像を表示することができる。
【発明を実施するための最良の形態】
【００２８】
以下、添付された図を参照して本発明の好適な実施形態について詳しく説明する。
【００２９】
図２は、本発明の実施形態による発光表示装置を示す図である。
【００３０】
図２を参照すれば、本発明の実施形態による発光表示装置は、走査駆動部１１０、データ駆動部１２０、画像表示部１３０、タイミング制御部１５０、デマルチプレクサブロック部１６０、デマルチプレクサ制御部１７０及びデータキャパシタＣｄａｔａを具備する。
【００３１】
画像表示部１３０は、走査線Ｓ１ないしＳｎ及び第２データ線ＤＬ１ないしＤＬｍによって区画された領域に位置される複数の画素１４０を具備する。画素１４０それぞれは、第２データ線ＤＬから自分に供給されるデータ信号に対応する光を発生する。
【００３２】
走査駆動部１１０は、タイミング制御部１５０から供給される走査駆動制御信号ＳＣＳに応答して走査信号を生成し、生成された走査信号を走査線Ｓ１ないしＳｎに順次供給する。ここで、走査駆動部１１０は図４ａのように走査信号を１水平期間１Ｈ中一部期間のみに供給する。
【００３３】
これを詳しく説明すれば、本発明では、１水平期間１Ｈは走査期間（第１期間）及びデータ期間（第２期間）に分割される。
【００３４】
走査駆動部１１０は、１水平期間１Ｈ中走査期間の間走査線Ｓに走査信号を供給する。そして、走査駆動部１１０は、１水平期間中データ期間の間走査信号を供給しない。一方、走査駆動部１１０は、走査駆動制御信号ＳＣＳに応答して発光制御信号を生成し、生成された発光制御信号を発光制御線Ｅ１ないしＥｎに順次供給する。
【００３５】
データ駆動部１２０は、タイミング制御部１５０から供給されるデータ駆動制御信号ＤＣＳに応答してデータ信号を生成し、生成されたデータ信号を第１データ線Ｄ１ないしＤｍ／ｉに供給する。
【００３６】
ここで、データ駆動部１２０は、それぞれの出力線ごとに接続された第１データ線Ｄ１ないしＤｍ／ｉに図４ａ及び図４ｂのようにｉ（ｉは２以上の自然数）またはｉ＋１個のデータ信号を順次供給する。
【００３７】
これを詳しく説明すれば、データ駆動部１２０は、１水平期間１Ｈ中データ期間の間、実際画素に供給されるデータ信号Ｒ、Ｇ、Ｂを順次供給する。ここで、実際画素に供給されるデータ信号Ｒ、Ｇ、Ｂがデータ期間のみに供給されるため、実際画素に供給されるデータ信号Ｒ、Ｇ、Ｂと走査信号の供給時間が重畳されない。そして、データ駆動部１２０は、図４ａに示されたように、１水平期間１Ｈ中走査期間の間ダミーデータ信号ＤＤを供給する。ここで、ダミーデータ信号ＤＤは、映像の寄与しないデータ信号として多様に設定されることができる。
【００３８】
実際に、ダミーデータ信号ＤＤは、図４ｂのように以前データ期間の最後に印加されたデータ信号Ｂに選択されることができる。すなわち、ｋ（ｋは自然数）番目水平期間の走査期間の間供給されるダミーデータ信号は、ｋ−１番目水平期間のデータ期間に供給された最後のデータ信号に選択されることができる。ダミーデータ信号ＤＤが以前データ期間の最後に印加されたデータ信号Ｂに選択されれば、データ駆動部１２０のスイッチング回数が低減されて消費電力が減少される。
【００３９】
タイミング制御部１５０は、外部から供給される同期信号に対応してデータ駆動制御信号ＤＣＳ及び走査駆動制御信号ＳＣＳを生成する。タイミング制御部１５０から生成されたデータ駆動制御信号ＤＣＳはデータ駆動部１２０に供給され、走査駆動制御信号ＳＣＳは走査駆動部１１０に供給される。
【００４０】
デマルチプレクサブロック部１６０は、ｍ／ｉ個のデマルチプレクサ１６２を具備する。つまり、デマルチプレクサブロック部１６０は、第１データ線Ｄ１ないしＤｍ／ｉと同数のデマルチプレクサ１６２を具備し、それぞれのデマルチプレクサ１６２は、第１データ線Ｄ１ないしＤｍ／ｉ中いずれか一つとそれぞれ接続される。そして、デマルチプレクサ１６２それぞれは、ｉ個の第２データ線ＤＬに接続される。このようなデマルチプレクサ１６２は、データ期間に供給されるｉ個のデータ信号をｉ本の第２データ線ＤＬに供給する。
【００４１】
このように一本の第１データ線Ｄに供給されるデータ信号をｉ本の第２データ線ＤＬに供給すれば、データ駆動部１２０に含まれた出力線数が急激に減少される。例えば、ｉを３に仮定すれば、データ駆動部１２０に含まれた出力線数は従来の１／３水準に減少され、これによってデータ駆動部１２０内部に含まれたデータ駆動回路の数も減少されるようになる。すなわち、本発明では、デマルチプレクサ１６２を利用して一本の第１データ線Ｄに供給されるデータ信号をｉ本の第２データ線ＤＬに供給することによって製造コストを低減することができる。
【００４２】
デマルチプレクサ制御部１７０は、第１データ線Ｄに供給されるｉ個のデータ信号がｉ本の第２データ線ＤＬに分割されて供給されることができるように、１水平期間中データ期間の間ｉ個の制御信号をデマルチプレクサ１６２にそれぞれ供給する。ここで、デマルチプレクサ制御部１７０から供給されるｉ個の制御信号は、図４ａのようにデータ期間中、互いに重畳されないように順次供給される。
【００４３】
一方、デマルチプレクサ制御部１７０がタイミング制御部１５０の外部に設置されたものに示されたが、本発明の実施形態においてデマルチプレクサ制御部１７０は、タイミング制御部１５０の内部に設置されることができる。
【００４４】
データキャパシタＣｄａｔａは、第２データ線ＤＬごとに設置される。このようなデータキャパシタＣｄａｔａは、第２データ線ＤＬに供給されるデータ信号を臨時格納し、格納されたデータ信号を画素１４０に供給する。ここで、データキャパシタＣｄａｔａは、第２データ線ＤＬに等価的に形成される寄生キャパシタが利用されることができる。
【００４５】
また、第２データ線ＤＬごとに外部キャパシタが追加的に設置されてデータキャパシタＣｄａｔａに利用されることができる。但し、本発明においてデータキャパシタＣｄａｔａの容量は、図５のようにそれぞれの画素１４０ごとに含まれたストレージキャパシタＣｓｔの容量より大きく設定される。
【００４６】
図３は、図２に示されたデマルチプレクサの内部回路図を示す図である。
【００４７】
図３では、説明の便宜性のためにｉを３に仮定することにする。そして、図３に示されたデマルチプレクサでは、一番目のの第１データ線Ｄ１に接続されたと仮定して説明する。
【００４８】
図３を参照すれば、デマルチプレクサ１６２それぞれは、第１スイッチング素子Ｔ１又はトランジスタ、第２スイッチング素子Ｔ２及び第３スイッチング素子Ｔ３を具備する。
【００４９】
第１スイッチング素子Ｔ１は、一番目の第１データ線Ｄ１と一番目の第２データ線ＤＬ１の間に接続される。このような第１スイッチング素子Ｔ１は、デマルチプレクサ制御部１７０から第１制御信号ＣＳ１が供給される時ターンオンされ、一番目の第１データ線Ｄ１に供給されるデータ信号を一番目の第２データ線ＤＬ１に供給する。一番目の第２データ線ＤＬ１に供給されたデータ信号は第１データキャパシタＣｄａｔａ１に臨時格納される。
【００５０】
第２スイッチング素子Ｔ２は、一番目の第１データ線Ｄ１と二番目の第２データ線ＤＬ２の間に接続される。このような第２スイッチング素子Ｔ２は、デマルチプレクサ制御部１７０から第２制御信号ＣＳ２が供給される時、ターンオンされ、一番目の第１データ線Ｄ１に供給されるデータ信号を二番目の第２データ線ＤＬ２に供給する。二番目の第２データ線ＤＬ２に供給されたデータ信号は第２データキャパシタＣｄａｔａ２に臨時格納される。
【００５１】
第３スイッチング素子Ｔ３は、一番目の第１データ線Ｄ１と三番目の第２データ線ＤＬ３の間に接続される。このような第３スイッチング素子Ｔ３は、デマルチプレクサ制御部１７０から第３制御信号ＣＳ３が供給される時ターンオンされ、一番目の第１データ線Ｄ１に供給されるデータ信号を三番目の第２データ線ＤＬ３に供給する。三番目の第２データ線ＤＬ３に供給されたデータ信号は第３データキャパシタＣｄａｔａ３に臨時格納される。このようなデマルチプレクサ１６２の詳細な動作過程は、画素１４０の構造とともに後述する。
【００５２】
図５は、図２に示された画素の構造を示す回路図である。
【００５３】
但し、本発明の画素の構造は図５に示された画素の構造に限定されず、画素それぞれに含まれた少なくとも一つ以上のトランジスタがダイオード形態に利用されることができるように接続された画素すべてに適用することができる。
【００５４】
図５を参照すれば、本発明の画素１４０らそれぞれは発光素子ＯＬＥＤと、第２データ線ＤＬｎ、走査線Ｓｎ及び発光制御線Ｅｎに接続されて発光素子ＯＬＥＤを発光させるための画素回路１４２を具備する。
【００５５】
発光素子ＯＬＥＤのアノード電極は、画素回路１４２に接続され、カソード電極は第２電源ＥＬＶＳＳに接続される。第２電源ＥＬＶＳＳは、第１電源ＥＬＶＤＤより低い電圧、例えばグラウンド電圧などになることができる。発光素子ＯＬＥＤは、画素回路１４２から供給される電流に対応される光を生成する。このために、発光素子ＯＬＥＤは有機物質などに形成される。
【００５６】
画素回路１４２は、第１電源ＥＬＶＤＤとｎ−１走査線Ｓｎ−１の間に接続されるストレージキャパシタＣｓｔ及び第６トランジットＭ６と、第１電源ＥＬＶＤＤとデータ線ＤＬの間に接続される第２トランジスタＭ２及び第４トランジスタＭ４と、発光素子ＯＬＥＤと発光制御線Ｅｎに接続される第５トランジスタＭ５と、第５トランジスタＭ５と第１ノードＮ１の間に接続される第１トランジスタＭ１と、第１トランジスタＭ１のゲート端子とドレイン端子の間に接続される第３トランジスタＭ３を具備する。
【００５７】
図５において、第１ないし第６トランジスタＭ１ないしＭ６がＰタイプＭＯＳＦＥＴに示されたが本発明がここに限定されるのではない。但し、第１ないし第６トランジスタＭ１ないしＭ６がＮタイプＭＯＳＦＥＴに形成されれば、当業者に広く知られたように駆動波形の極性が反転される。
【００５８】
第１トランジスタＭ１のソース端子は第１ノードＮ１に接続され、ドレイン端子は第５トランジスタＭ５のソース端子に接続される。そして、第１トランジスタＭ１のゲート端子はストレージキャパシタＣｓｔに接続される。このような第１トランジスタＭ１はストレージキャパシタＣｓｔに充電された電圧に対応される電流を発光素子ＯＬＥＤに供給する。
【００５９】
第３トランジスタＭ３のドレイン端子は第１トランジスタＭ１のゲート端子に接続され、ソース端子は第１トランジスタＭ１のドレイン端子に接続される。そして、第３トランジスタＭ３のゲート端子は、第ｎ走査線Ｓｎに接続される。このような第３トランジスタＭ３は第ｎ走査線Ｓｎに走査信号が供給される時ターンオンされ、第１トランジスタＭ１をダイオード形態に接続させる。すなわち、第３トランジスタＭ３がターンオンされる時、第１トランジスタＭ１はダイオード形態に接続される。
【００６０】
第２トランジスタＭ２のソース端子はデータ線ＤＬに接続され、ドレイン端子は第１ノードＮ１に接続される。
【００６１】
そして、第２トランジスタＭ２のゲート端子は、第ｎ走査線Ｓｎに接続される。このような第２トランジスタＭ２は、第ｎ走査線Ｓｎに走査信号が供給される時ターンオンされ、データ線ＤＬに供給されるデータ信号を第１ノードＮ１に供給する。
【００６２】
第４トランジスタＭ４のドレイン端子は第１ノードＮ１に接続され、ソース端子は第１電源ＥＬＶＤＤに接続される。
【００６３】
そして、第４トランジスタＭ４のゲート端子は、発光制御線Ｅｎに接続される。このような第４トランジスタＭ４は、発光制御信号ＥＭＩが供給されない時ターンオンされ、第１電源ＥＬＶＤＤと第１ノードＮ１を電気的に接続させる。
【００６４】
第５トランジスタＭ５のソース端子は第１トランジスタＭ１のドレイン端子に接続され、ドレイン端子は発光素子ＯＬＥＤに接続される。そして、第５トランジスタＭ５のゲート端子は発光制御線Ｅｎに接続される。このような第５トランジスタＭ５は発光制御信号ＥＭＩが供給されない時ターンオンされ、第１トランジスタＭ１から供給される電流を発光素子ＯＬＥＤに供給する。
【００６５】
第６トランジスタＭ６のソース端子はストレージキャパシタＣｓｔに接続され、ドレイン端子及びゲート端子は第ｎ−１走査線Ｓｎ−１に接続される。このような第６トランジスタＭ６は第ｎ−１走査線Ｓｎ−１で走査信号が供給される時ターンオンされ、ストレージキャパシタＣｓｔ及び第１トランジスタＭ１のゲート端子を初期化させる。
【００６６】
図６は、デマルチプレクサと画素の連結構造を詳しく示す図である。ここで、一つのデマルチプレクサには赤Ｒ、緑Ｇ及び青Ｂの画素が接続されると仮定する（すなわち、ｉ＝３）。
【００６７】
図４ａ及び図６を結び付けて動作過程を詳しく説明すれば、まず、１水平期間中走査期間の間第ｎ−１走査線Ｓｎ−１に走査信号が供給される。第ｎ−１走査線Ｓｎ−１に走査信号が供給されれば、画素１４２Ｒ、１４２Ｇ、１４２Ｂそれぞれに含まれた第６トランジスタＭ６がターンオンされる。
【００６８】
第６トランジスタＭ６がターンオンされると、ストレージキャパシタＣｓｔ及び第１トランジスタＭ１のゲート端子が第ｎ−１走査線Ｓｎ−１に接続される。すなわち、第ｎ−１走査線Ｓｎ−１に走査信号が供給されれば、画素１４２Ｒ、１４２Ｇ、１４２ＢそれぞれのストレージキャパシタＣｓｔ及び第１トランジスタＭ１のゲート端子は、走査信号の電圧に変更される。ここで、走査信号はデータ信号より低い電圧値を持つ。
【００６９】
第ｎ−１走査線Ｓｎ−１に走査信号が供給される時、第ｎ走査線Ｓｎに接続された第２トランジスタＭ２はターンオフ状態を維持する。
【００７０】
以後、データ期間の間順次供給される第１制御信号ＣＳ１ないし第３制御信号ＣＳ３によって第１スイッチング素子Ｔ１、第２スイッチング素子Ｔ２及び第３スイッチング素子Ｔ３が順次ターンオンされる。
【００７１】
第１制御信号ＣＳ１によって第１スイッチング素子Ｔ１がターンオンされると、一番目の第１データ線Ｄ１に供給されたデータ信号が一番目の第２データ線ＤＬ１に供給される。この時、第１データキャパシタＣｄａｔａ１には一番目の第２データ線ＤＬ１に供給されたデータ信号に対応される電圧が充電される。
【００７２】
第２制御信号ＣＳ２によって第２スイッチング素子Ｔ２がターンオンされると、一番目の第１データ線Ｄ１に供給されたデータ信号が二番目の第２データ線ＤＬ２に供給される。このとき、第２データキャパシタＣｄａｔａ２には二番目の第２データ線ＤＬ２に供給されたデータ信号に対応される電圧が充電される。第３制御信号ＣＳ３によって第３スイッチング素子Ｔ３がターンオンされると、一番目の第１データ線Ｄ１に供給されたデータ信号が三番目の第２データ線ＤＬ３に供給される。この時、第３データキャパシタＣｄａｔａ３には三番目の第２データ線ＤＬ３に供給されたデータ信号に対応される電圧が充電される。一方、データ期間の間走査信号が供給されないため、画素１４２Ｒ、１４２Ｇ、１４２Ｂにはデータ信号が供給されない。
【００７３】
以後、データ期間に引き続く走査期間の間第ｎ走査線Ｓｎに走査信号が供給される。
【００７４】
第ｎ走査線Ｓｎに走査信号が供給されると、画素１４２Ｒ、１４２Ｇ、１４２Ｂそれぞれに含まれた第２トランジスタＭ２及び第３トランジスタＭ３がターンオンされる。画素１４２Ｒ、１４２Ｇ、１４２Ｂそれぞれに含まれた第２トランジスタＭ２及び第３トランジスタＭ３がターンオンされると、第１ないし第３データキャパシタＣｄａｔａ１ないしＣｄａｔａ３に格納されたデータ信号に対応される電圧が画素１４２Ｒ、１４２Ｇ、１４２Ｂの第１ノードＮ１に供給される。
【００７５】
ここで、画素１４２Ｒ、１４２Ｇ、１４２Ｂに含まれた第１トランジスタＭ１のゲート端子電圧は、第ｎ−１走査線Ｓｎ−１に供給された走査信号によって初期化されたため（すなわち、第１ノードＮ１に印加されたデータ信号の電圧より低く設定されたため）、第１トランジスタＭ１がターンオンされる。
【００７６】
第１トランジスタＭ１がターンオンされると、第１ノードＮ１に印加されたデータ信号に対応される電圧が第１トランジスタＮ１及び第３トランジスタＭ３を経由してストレージキャパシタＣｓｔの一側に供給される。この時、画素１４２Ｒ、１４２Ｇ、１４２Ｂに含まれたストレージキャパシタＣｓｔには、データ信号に対応される電圧が充電される。そして、ストレージキャパシタＣｓｔにはデータ信号に対応される電圧以外に第１トランジスタＭ１のしきい値電圧にあたる電圧が追加的に充電される。
【００７７】
以後、発光制御線Ｅｎに発光制御信号ＥＭＩが供給されない時、第４及び第５トランジスタＭ４、Ｍ５がターンオンされ、ストレージキャパシタＣｓｔに充電された電圧に対応する電流が発光素子ＯＬＥＤに供給されて所定輝度の光が生成される。
【００７８】
すなわち、本発明では、デマルチプレクサ１６２を利用して一つの第１データ線Ｄ１に供給されるデータ信号をｉ個の第２データ線ＤＬに供給することができる長所がある。そして、本発明ではデータ期間の間データキャパシタＣｄａｔａにデータ信号に対応する電圧を充電し、走査期間の間データキャパシタＣｄａｔａに充電された電圧を画素に供給する。
【００７９】
このように走査信号が供給される走査期間と、データ信号が供給されるデータ期間が互いに重畳されなければ第３トランジスタＭ３のゲート端子の電圧が変動されず、これによって安定的に画像を表示することができる。
【００８０】
また、本発明ではデータキャパシタＣｄａｔａに格納された電圧を同時に画素に供給するため、すなわち、同一時点にデータ信号を供給することができるから均一な輝度の画像を表示することができる。
【００８１】
しかし、このような本発明では、図４ａ及び図４ｂに記載したように、１水平期間１Ｈが走査期間及びデータ期間に分けられるため、十分なスキャン時間を確保することができないという問題点が発生される。ここで、スキャン時間（走査期間）は走査信号が供給されて画素１４０それぞれのストレージキャパシタＣｓｔにデータ信号に対応される電圧が充電される時間を意味する。
【００８２】
実際に、スキャン時間が充分に確保されなければ、画素１４０から願う輝度の画像を表示することができなくなる。そして、スキャン時間の不足現象は、画像表示部１３０の解像度が高いほどさらにひどく現れる。このような問題点を乗り越えるためにも７ａ及び図７ｂのように本発明の他の実施形態による駆動方法が提案される。
【００８３】
図７ａ及び図７ｂは、本発明の他の実施形態による駆動方法を示す波形図である。
【００８４】
図７ａを参照すれば、１水平期間１Ｈは、走査期間（第１期間）とデータ期間（第２期間）に分けられて駆動される。
【００８５】
走査期間には、走査駆動部１１０から走査信号が供給される。データ期間にはデータ駆動部１２０から画素に供給される複数のデータ信号Ｒ、Ｇ、Ｂが順次供給される。
【００８６】
ここで、ｋフレームのデータ期間に供給される最後のデータ信号Ｂは、ｋ＋１フレームの走査期間と重畳されるように供給される。言い換えれば、ｋフレームのデータ期間に供給される最後のデータ信号Ｂは、ｋ＋１フレームの走査信号と重畳されるように供給される。
【００８７】
このようにデータ期間に供給される最後のデータ信号Ｂが走査期間と重畳されるように供給されれば、走査期間をさらに広く設定することができる。つまり、本発明の他の実施形態による駆動方法では、最後のデータ信号Ｂと走査信号が重畳される期間ほど走査信号の供給時間をさらに確保することができるという長所がある。
【００８８】
一方、複数のデータ信号Ｒ、Ｇ、Ｂが順次供給される時、デマルチプレクサ制御部１７０から複数の制御信号が順次供給される。ここで、複数の制御信号は、互いに重畳されないように順次供給される。そして、最後に供給される第３制御信号ＣＳ３は、データ期間及び走査期間と重畳されるように供給される。言い換えれば、第３制御信号ＣＳ３は最後のデータ信号Ｂと同期されるように走査信号と重畳されるように供給される。
【００８９】
一方、本発明の他の実施形態では、制御信号ＣＳ１、ＣＳ２、ＣＳ３が供給されない期間の間ダミーデータ信号ＤＤを供給する。ここで、ダミーデータ信号ＤＤは画素に供給されない信号として多様に設定されることができる。
【００９０】
実際に、ダミーデータ信号ＤＤは、図７ｂのようにデータ駆動部１２０から供給される最後のデータ信号Ｂに選択されることができる。すなわち、ｋ番目の水平期間の走査期間の間供給されるダミーデータ信号は、ｋ−１番目の水平期間に供給される最後のデータ信号Ｂに選択されることができる。
【００９１】
ダミーデータ信号ＤＤが以前データ期間の最後に印加されたデータ信号Ｂに選択されれば、データ駆動部１２０のスイッチング回数が低減されて消費電力が減少される。
【００９２】
このような本発明の他の実施形態による駆動方法の動作過程を図６及び図７ａを結び付けて詳しく説明する。まず、１水平期間中走査期間の間第ｎ−１走査線Ｓｎ−１に走査信号が供給される。
【００９３】
第ｎ−１走査線Ｓｎ−１に走査信号が供給されれば、画素１４２Ｒ、１４２Ｇ、１４２Ｂそれぞれに含まれた第６トランジスタＭ６がターンオンされる。第６トランジスタＭ６がターンオンされると、ストレージキャパシタＣｓｔ及び第１トランジスタＭ１のゲート端子が第ｎ−１走査線Ｓｎ−１に接続される。すなわち、第ｎ−１走査線Ｓｎ−１に走査信号が供給されれば、画素１４２Ｒ、１４２Ｇ、１４２ＢそれぞれのストレージキャパシタＣｓｔ及び第１トランジスタＭ１のゲート端子が走査信号の電圧値に変更される。ここで、走査信号はデータ信号より低い電圧値を持つ。第ｎ−１走査線Ｓｎ−１に走査信号が供給される時、第ｎ走査線Ｓｎと接続された第２トランジスタＭ２はターンオフ状態を維持する。
【００９４】
以後、データ期間の間第１制御信号ＣＳ１及び第２制御信号ＣＳ２が順次供給されながら第１スイッチング素子Ｔ１及び第２スイッチング素子Ｔ２が順次ターンオンされる。
【００９５】
第１制御信号ＣＳ１によって第１スイッチング素子Ｔ１がターンオンされると、一番目の第１データ線Ｄ１に供給されたデータ信号が一番目の第２データ線ＤＬ１に供給される。このとき、第１データキャパシタＣｄａｔａ１には、一番目の第２データ線ＤＬ１に供給されたデータ信号に対応される電圧が充電される。
【００９６】
第２制御信号ＣＳ２によって第２スイッチング素子Ｔ２がターンオンされると、一番目の第１データ線Ｄ１に供給されたデータ信号が二番目の第２データ線ＤＬ２に供給される。このとき、第２データキャパシタＣｄａｔａ２には、二番目の第２データ線ＤＬ２に供給されたデータ信号に対応される電圧が充電される。
【００９７】
第２制御信号ＣＳ２が供給された後、データ期間及び走査期間の一部期間と重畳されるように第３制御信号ＣＳ３が供給される。第３制御信号ＣＳ３が供給されれば、第３スイッチング素子Ｔ３がターンオンされ、一番目の第１データ線Ｄ１に供給されたデータ信号が三番目の第２データ線ＤＬ３に供給される。三番目の第２データ線ＤＬ３に供給されるデータ信号は、第３データキャパシタＣｄａｔａ３に格納されると同時に画素１４２Ｂに供給される。言い換えれば、第３制御信号ＣＳ３が供給される時、第ｎ走査線Ｓｎに走査信号が供給される。
【００９８】
第ｎ走査線Ｓｎに走査信号が供給されれば、画素１４２Ｂに含まれた第２トランジスタＭ２及び第３トランジスタＭ３がターンオンされ、三番目の第２データ線ＤＬ３に供給されるデータ信号が第３データキャパシタＣｄａｔａ３及び画素１４２Ｂに供給される。
【００９９】
そして、第ｎ走査線Ｓｎに走査信号が供給されれば、画素１４２Ｒ、１４２Ｇに含まれた第２トランジスタＭ２及び第３トランジスタＭ３がターンオンされ、第１及び第２データキャパシタＣｄａｔａ１、Ｃｄａｔａ２に格納されたデータ信号が画素１４２Ｒ、１４２Ｇの第１ノードＮ１に供給される。
【０１００】
ここで、画素１４２Ｒ、１４２Ｇ、１４２Ｂに含まれた第１トランジスタＭ１のゲート端子電圧は、第ｎ−１走査線Ｓｎ−１に供給された走査信号によって初期化されたため（すなわち、第１ノードＮ１に印加されたデータ信号の電圧より低く設定されるため）、第１トランジスタＭ１がターンオンされる。
【０１０１】
第１トランジスタＭ１がターンオンされると、第１ノードＮ１に印加されたデータ信号に対応される電圧が第１トランジスタＮ１及び第３トランジスタＭ３を経由してストレージキャパシタＣｓｔの一側に供給される。この時、画素１４２Ｒ、１４２Ｇ、１４２Ｂに含まれたストレージキャパシタＣｓｔにはデータ信号に対応される電圧が充電される。
【０１０２】
そして、ストレージキャパシタＣｓｔにはデータ信号に対応される電圧以外に第１トランジスタＭ１のしきい値電圧にあたる電圧が追加的に充電される。
【０１０３】
以後、発光制御線Ｅｎに発光制御信号ＥＭＩが供給されない時、第４及び第５トランジスタＭ４、Ｍ５がターンオンされ、ストレージキャパシタＣｓｔに充電された電圧に対応する電流が発光素子ＯＬＥＤに供給されて所定輝度の光が生成される。
【０１０４】
すなわち、本発明の他の実施形態では、一本の第１データ線Ｄに供給されるデータ信号をｉ本の第２データ線ＤＬに供給することができるため、データ駆動部の出力線数を最小化することができる。
【０１０５】
そして、本発明では画素にデータ信号を同時に供給するため、安定的に画像を表示することができる。
【０１０６】
また、本発明ではデータ期間に供給される最後の制御信号を走査期間と重畳されるように供給するため、スキャン時間を充分に確保することができる。
【０１０７】
以上、上述したように本発明の詳細な説明と図は、単なる本発明の例示的なものであり、これは単に本発明を説明するための目的で使用されたものであって、意味限定や特許請求の範囲に記載された本発明の範囲を制限するために使用されたものではない。よって、前記説明した内容を介して当業者であれば、本発明の技術思想を逸脱しない範囲で多様な変更及び修正が可能であることが分かる。
【図面の簡単な説明】
【０１０８】
【図１】従来の発光表示装置を示す図である。
【図２】本発明の実施形態による発光表示装置を示す図である。
【図３】図２に示されたデマルチプレクサを示す回路図である。
【図４ａ】本発明の実施形態による発光表示装置の駆動方法を示す波形図である。
【図４ｂ】本発明の実施形態による発光表示装置の駆動方法を示す波形図である。
【図５】図２に示された画素の実施形態を示す回路図である。
【図６】デマルチプレクサと画素の連結構造を示す図である。
【図７ａ】本発明の他の実施形態による発光表示装置の駆動方法を示す波形図である。
【図７ｂ】本発明の他の実施形態による発光表示装置の駆動方法を示す波形図である。
【符号の説明】
【０１０９】
１０、１１０…走査駆動部、
２０、１２０…データ駆動部、
３０、１３０…画像表示部、
４０、１４０…画素、
１４２…画素回路、
５０、１５０…タイミング制御部、１６０…デマルチプレクサブロック部、
１６２…デマルチプレクサ、
１７０…デマルチプレクサ制御部。
【図１】
2006146158.tif 000003
【図２】
2006146158.tif 000004
【図３】
2006146158.tif 000005
【図４ａ】
2006146158.tif 000006
【図４ｂ】
2006146158.tif 000007
【図５】
2006146158.tif 000008
【図６】
2006146158.tif 000009
【図７ａ】
2006146158.tif 000010
【図７ｂ】
2006146158.tif 000011